(57)【要約】      （修正有）【課題】収納ケースを横に並べた状態で強固に連結する横連結構造を提供する。【解決手段】上下二以上の棚枠及び支柱からなる枠組体と、上下の棚枠の間の引出とを有する収納ケースを、横に隣接させた状態で連結する連結具６を備えており、棚枠１は収納ケース６を横に隣接させた際に外側面１１ａが互いに接触又は近接した状態となる枠材１０を有し、枠材１０は外側面板部１１、内側面板部１２及び中間板部１３を有し、内側面板部１２は係止部１２ａを有し、連結具６は離接する枠材１０の下方に位置する主強度部材６１を有し、主強度部材６１は一方の枠材１０の係止部１２ａに係止する第１の被係止部６２と、他方の枠材１０の係止部１２ａに係止する第２の被係止部６３と、一方及び他方の枠材１０の外側面板部１１を内方に挟んだ状態に維持する一対の挟持部材６４とを有する。【選択図】図３
0003158038.tif 000002
【実用新案登録請求の範囲】
【請求項１】
上下に配置された少なくとも二つの棚枠を複数の支柱で連結することによって構成された枠組体と、互いに対向する前記上下の棚枠の間に挿入される引出とを有する収納ケースに対して、横に隣接させた状態で連結することを可能にする連結具を備えた収納ケースの横連結構造であって、
前記棚枠は、前記収納ケースを横に隣接させた際に外側面が互いに接触又は近接した状態となる枠材を有し、
前記枠材は、外側面板部、内側面板部及びこれらを連結する中間板部によって上方に略凸状となるように成形された断面形状を有し、
前記内側面板部は、係止部を有し、
前記連結具は、前記外側面が互いに接触又は近接した状態となった前記枠材の下方から取り付けられるようになっていると共に、このように取り付けられた状態において当該枠材の下側に位置することになる主強度部材を有しており、
前記主強度部材には、前記外側面が互いに接触又は近接した状態の一方の前記枠材における前記内側面板部の前記係止部に係止する第１の被係止部と、同じく前記外側面が互いに接触又は近接した状態の他方の前記枠材における前記内側面板部の前記係止部に係止する第２の被係止部とが設けられていると共に、同じく前記外側面が互いに接触又は近接した状態の一方及び他方の前記枠材における前記外側面板部を内方に挟んだ状態に維持する一対の挟持部材が設けられていることを特徴とする収納ケースの横連結構造。
【請求項２】
前記外側面板部には、当該外側面板部を挟んだ状態となる前記挟持部材を当該外側面板部の長手方向の両側から支持する一対の支持部材が設けられていることを特徴とする請求項１に記載の収納ケースの横連結構造。
【請求項３】
前記主強度部材は、平板状に形成されていることを特徴とする請求項１又は２に記載の収納ケースの横連結構造。
【請求項４】
前記第１及び第２の被係止部は、前記係止部を一旦よける方向に弾性変形した後に元の形状に復帰することにより、当該係止部に係止するように形成されており、
前記第１の被係止部とこの第１の被係止部に近い側の前記挟持部材と前記主強度部材とは、第１の補強部材によって連結され、前記第２の被係止部とこの第２の斜材に近い側の前記挟持部材と前記主強度部材とは、第２の補強部材によって連結されていることを特徴とする請求項１〜３の何れか１項に記載の収納ケースの横連結構造。
【請求項５】
前記枠材の前記中間板部には、前記外側面板部及び前記内側面板部と並列に延在するように突出する凸条部が設けられており、
前記主強度部材には、前記外側面が互いに接触又は近接する状態の一方の前記枠材における前記凸条部の左右の側面を拘束するように形成された凹部を有する第１の拘束部材と、同じく前記外側面が互いに接触又は近接する状態の他方の前記枠材における前記凸条部の左右の側面を拘束するように形成された凹部を有する第２の拘束部材とが設けられていることを特徴とする請求項１〜４の何れか１項に記載の収納ケースの横連結構造。
【請求項６】
前記枠材の前記中間板部には、前記外側面板部及び前記内側面板部と並列に延在するように突出する凸条部が設けられており、
前記主強度部材には、前記外側面が互いに接触又は近接する状態の一方の前記枠材における前記凸条部の左右の側面を拘束するように形成された凹部を有する第１の拘束部材と、同じく前記外側面が互いに接触又は近接する状態の他方の前記枠材における前記凸条部の左右の側面を拘束するように形成された凹部を有する第２の拘束部材とが設けられており、
前記第１の拘束部材は前記第１の補強部材と一体に形成され、前記第２の拘束部材は前記第２の補強部材と一体に形成されていることを特徴とする請求項４に記載の収納ケースの横連結構造。
【考案の詳細な説明】
【技術分野】
【０００１】
本考案は、複数の収納ケースを横に並べた状態で連結することを可能とする収納ケースの横連結構造に関する。
【背景技術】
【０００２】
この種の収納ケースの横連結構造としては、上下に配置した複数の棚枠を複数の支柱で連結してなる枠組体と、互いに対向する上下の棚枠の間に挿入する引出とを有する収納ケースに対して、横に隣接させた状態で連結することを可能にする連結具を備え、当該収納ケースを横に隣接させた際に外側面同士が接触あるいは近接した状態となる各棚枠の枠材には、それぞれの上面に結合孔を形成し、連結具には、各枠材の結合孔に挿入する垂直要素を設けたものが知られている（例えば、特許文献１）。
【０００３】
上記各枠材は、平行に配置された補強リブと、これらの補強リブを連結する平板部とによって断面が略コ字状に形成されている。上記結合孔は、その枠材の平板部を貫通するように形成されている。
【先行技術文献】
【特許文献】
【０００４】
【特許文献１】実用新案登録第３０１０９２４号公報
【考案の概要】
【考案が解決しようとする課題】
【０００５】
しかしながら、上記従来の収納ケースの横連結構造においては、連結具の各垂直要素を枠材の平板部に形成した結合孔に挿入することによって、収納ケースを結合するようになっており、結合孔の周囲の平板部の剛性が劣ることから、収納ケースの結合強度が十分に得られないという問題があった。
【０００６】
本考案は、上記事情に鑑みてなされたものであり、収納ケースを横に並べた状態で強固に連結することのできる収納ケースの横連結構造を提供することを課題としている。
【課題を解決するための手段】
【０００７】
上記課題を解決するため、請求項１に記載の考案は、上下に配置された少なくとも二つの棚枠を複数の支柱で連結することによって構成された枠組体と、互いに対向する前記上下の棚枠の間に挿入される引出とを有する収納ケースに対して、横に隣接させた状態で連結することを可能にする連結具を備えた収納ケースの横連結構造であって、前記棚枠は、前記収納ケースを横に隣接させた際に外側面が互いに接触又は近接した状態となる枠材を有し、前記枠材は、外側面板部、内側面板部及びこれらを連結する中間板部によって上方に略凸状となるように成形された断面形状を有し、前記内側面板部は、係止部を有し、前記連結具は、前記外側面が互いに接触又は近接した状態となった前記枠材の下方から取り付けられるようになっていると共に、このように取り付けられた状態において当該枠材の下側に位置することになる主強度部材を有しており、前記主強度部材には、前記外側面が互いに接触又は近接した状態の一方の前記枠材における前記内側面板部の前記係止部に係止する第１の被係止部と、同じく前記外側面が互いに接触又は近接した状態の他方の前記枠材における前記内側面板部の前記係止部に係止する第２の被係止部とが設けられていると共に、同じく前記外側面が互いに接触又は近接した状態の一方及び他方の前記枠材における前記外側面板部を内方に挟んだ状態に維持する一対の挟持部材が設けられていることを特徴としている。
【０００８】
請求項２に記載の考案は、請求項１に記載の考案において、前記外側面板部には、当該外側面板部を挟んだ状態となる前記挟持部材を当該外側面板部の長手方向の両側から支持する一対の支持部材が設けられていることを特徴としている。
【０００９】
請求項３に記載の考案は、請求項１又は２に記載の考案において、前記主強度部材は、平板状に形成されていることを特徴としている。
【００１０】
請求項４に記載の考案は、請求項１〜３の何れか１項に記載の考案において、前記第１及び第２の被係止部は、前記係止部を一旦よける方向に弾性変形した後に元の形状に復帰することにより、当該係止部に係止するように形成されており、前記第１の被係止部とこの第１の被係止部に近い側の前記挟持部材と前記主強度部材とは、第１の補強部材によって連結され、前記第２の被係止部とこの第２の斜材に近い側の前記挟持部材と前記主強度部材とは、第２の補強部材によって連結されていることを特徴としている。
【００１１】
請求項５に記載の考案は、請求項１〜４の何れか１項に記載の考案において、前記枠材の前記中間板部には、前記外側面板部及び前記内側面板部と並列に延在するように突出する凸条部が設けられており、前記主強度部材には、前記外側面が互いに接触又は近接する状態の一方の前記枠材における前記凸条部の左右の側面を拘束するように形成された凹部を有する第１の拘束部材と、同じく前記外側面が互いに接触又は近接する状態の他方の前記枠材における前記凸条部の左右の側面を拘束するように形成された凹部を有する第２の拘束部材とが設けられていることを特徴としている。
【００１２】
請求項６に記載の考案は、請求項４に記載の考案において、前記枠材の前記中間板部には、前記外側面板部及び前記内側面板部と並列に延在するように突出する凸条部が設けられており、前記主強度部材には、前記外側面が互いに接触又は近接する状態の一方の前記枠材における前記凸条部の左右の側面を拘束するように形成された凹部を有する第１の拘束部材と、同じく前記外側面が互いに接触又は近接する状態の他方の前記枠材における前記凸条部の左右の側面を拘束するように形成された凹部を有する第２の拘束部材とが設けられており、前記第１の拘束部材は前記第１の補強部材と一体に形成され、前記第２の拘束部材は前記第２の補強部材と一体に形成されていることを特徴としている。
【考案の効果】
【００１３】
請求項１に記載の考案によれば、外側面が互いに接触又は近接した状態となった枠材に対してその下方から連結具が取り付けられるようになっていると共に、その連結具は枠材の下側に位置することになる主強度部材を有しており、その主強度部材には、外周面が互いに接触又は近接した状態の一方の枠材における内側面板部の係止部に係止する第１の被係止部と、他方の枠材における内側面板部の係止部に係止する第２の被係止部とが設けられているので、主強度部材を一方及び他方の枠材の双方に確実に固定することができる。
【００１４】
また、主強度部材には、外側面が互いに接触又は近接した状態の一方及び他方の枠材における外側面板部を内方に挟んだ状態に維持する一対の挟持部材が設けられているので、一方の枠材における外側面板部と他方の枠材における外側面板部が離れる方向に移動するのを防止することができる。そして、一方及び他方の枠材における外側面板部を挟持部材で挟んで保持することにより、その連結部の剛性の向上を図ることができる。
【００１５】
従って、収納ケースを横に並べた状態で強固に連結することができる。なお、連結具によって最下位置の棚枠のみを連結するだけでも十分な連結強度を発揮することができるが、格段の棚枠を連結具で連結することにより、収納ケースの連結強度を更に高めることができる。しかも、枠材の下方から連結具を取り付けることによって、各収納ケースを連結するようになっているので、その連結具を各収納ケースから外した後においては、各収納ケースを、連結のための穴などの跡が外観上ほとんど見当たらない通常の収納ケースとして単独で使用することができるという利点もある。
【００１６】
請求項２に記載の考案によれば、外側面板部には当該外側面板部を挟んだ状態となる挟持部材を当該外側面板部の長手方向の両側から支持する一対の支持部材が設けられているので、収納ケースが枠材の長手方向に沿って互いに滑る方向に変位するのを防止することができる。従って、収納ケースを更に強固に連結することができる。
【００１７】
請求項３に記載の考案によれば、主強度部材が平板状に形成されているので、連結具が各棚枠から下方に突出する量を極めて少量に抑えることができる。従って、例えば下から二番目以上にある棚枠を連結具で連結した場合でも、その連結具が上下の棚枠の間に挿入される引出の抜き差しの邪魔になるのを防止することができる。
【００１８】
請求項４に記載の考案によれば、連結具の第１及び第２の被係止部が内側面板部の係止部を一旦よける方向に弾性変形した後に元の形状に復帰することにより、当該係止部に係止するように形成されており、第１の被係止部とこれに近い側の挟持部材と主強度部材とが第１の補強部材によって連結され、第２の被係止部とこれに近い側の挟持部材と主強度部材とが第２の補強部材によって連結されているので、第１及び第２の被係止部が元の形状に復帰する力を増大させることができる。そして、この場合には、係止部側の内側面板部も弾性変形することにより、第１及び第２の被係止部と各内側面板部の係止部との係止が可能となり、第１及び第２の被係止部と各内側面板部の双方における大きな弾性復帰力により、係止状態が維持されることになる。従って、連結具を隣接する枠材に強固に固定することができるので、収納ケースを横に並べた状態に更に強固に連結することができる。
【００１９】
請求項５に記載の考案によれば、枠材の中間板部には外側面板部及び内側面板部と並列に延在する凸条部が設けられており、主強度部材には一方の枠材における凸条部の左右の側面を拘束する凹部を有する第１の拘束部材が設けられていると共に、他方の枠材における凸条部の左右の側面を拘束する凹部を有する第２の拘束部材が設けられているので、一方の枠材と他方の枠材が離れる方向に移動するのを更に強固に阻止することができる。従って、収納ケースの連結強度を更に高めることができる。
【００２０】
請求項６に記載の考案によれば、第１の拘束部材が第１の補強部材と一体に形成され、第２の拘束部材が第２の補強部材と一体に形成されているので、第１の拘束部材や第２の拘束部材の剛性が高まることになる。従って、一方及び他方の枠材をより高い剛性力をもって連結することができるので、収納ケースの連結強度を更に高めることができる。
【図面の簡単な説明】
【００２１】
【図１】本考案の一実施例として示した収納ケースの横連結構造における連結対象の収納ケースを示す図であって、（ａ）は所定の間隔をおいて配置した２つの収納ケースを示す正面図であり、（ｂ）は横に隣接させて連結した後の２つの収納ケースを示す正面図であり、（ｃ）は（ｂ）における各収納ケースから引出を全て取り外した後の収納ケース（即ち、枠組体のみ）を示す正面図であり、（ｄ）は（ｃ）のＤ矢視図（即ち、枠組体の底面図）である。
【図２】同収納ケースの横連結構造を示す図であって、図１（ｄ）の要部IIを示す底面図である。
【図３】同収納ケースの横連結構造を示す図であって、（ａ）は図２のIII−III線に沿う断面図であり、（ｂ）は（ａ）における各枠材に対して連結具を下方に移動した状態を示す断面図である。
【図４】同収納ケースの横連結構造を示す図であって、（ａ）は連結具の正面図であり、（ｂ）は連結具の平面図であり、（ｃ）は（ａ）のＣ矢視図である。
【図５】同収納ケースの横連結構造を示す図であって、図２において連結具を取り除いた後の２本の枠材が外側面で互いに接触した状態を示す要部底面図である。
【図６】同収納ケースの横連結構造を示す図であって、図５で示した部分について上方から見た状態を示す要部平面図である。
【図７】同収納ケースの横連結構造の他の例を示す図であって、連結具の位置にキャスタを設けた状態を示す要部断面図である。
【考案を実施するための形態】
【００２２】
本考案を実施するための形態を実施例に基づいて詳細に説明する。
【実施例】
【００２３】
この実施例で示す収納ケースの横連結構造は、図１に示すように、上下に配置された少なくとも二つ（この例では四つ）の棚枠１を複数の支柱２で連結することによって構成された枠組体３と、互いに対向する上下の棚枠１、１の間に挿入する引出４とを有する収納ケース５に対して、横に隣接させた状態で連結することを可能にする連結具６を備えた構成になっている。但し、最上位置の棚枠１は、上面を覆うカバーが設けられたものとなっている。また、棚枠１、支柱２、引出４及び連結具６については、それぞれがプラスチックによって一体的に形成されたものとなっている。
【００２４】
棚枠１は、図１（ｄ）に示すように、収納ケース５を横に隣接させた際に外側面１１ａが互いに接触又は近接した状態となる枠材１０を有している。この場合、棚枠１は、枠材１０によって四角形状（この例では長方形状）に形成されており、その長辺側の枠材１０の外側面１１ａが接触又は近接した状態となるようになっている。また、枠組体３は、組立て式のもので構成されており、各棚枠１には、支柱２との連結を図る継手部１０１が形成されている。また、継手部１０１には、棚枠１が最下位に設けられた際に、キャスタ（図示せず）の装着を可能にすべく、そのキャスタの支持軸を保持するための保持孔（図示せず）が形成されている。
【００２５】
連結具６によって連結する枠材１０は、図２及び図３に示すように、外側面板部１１、内側面板部１２及びこれらを連結する中間板部１３によって上方に略凸状となるように屈曲成形された断面形状を有している。内側面板部１２は、図３に示すように、係止部１２ａを有している。係止部１２ａは、内側面板部１２の一部が傾斜面１２ｂを介して内方に盛り上がるように形成された圧肉部１２ｃの上端に平面状に形成されている。傾斜面１２ｂは、下方から上方に向うに従って漸次内方に位置するように傾斜している。係止部１２ａは、枠材１０を平面視すると図６に示すように形成されている。傾斜面１２ｂは、枠材１０を低面視すると図５に示すように形成されている。
【００２６】
連結具６は、図３及び図４に示すように、外側面１１ａが互いに接触又は近接した状態となった各枠材１０の下方から取り付けるようになっていると共に、このようにして取り付けられた状態において各枠材１０の下側に位置する主強度部材６１を有している。
【００２７】
主強度部材６１は、図２に示すように、外側面１１ａが互いに接触又は近接した状態となった各枠材１０の一方の枠材１０の内側面板部１２から他方の枠材１０の内側面板部１２にわたるような長さの直角四角形状（この例では内側面板部１２、１２間の方向に長い長方形状）に形成されている。そして、主強度部材６１は、図３に示すように、連結具６を各枠材１０に取り付けた状態において、その長手方向の各端部が一方及び他方の枠材１０における各内側面板部１２の下縁に接触又は近接するようになっている。
【００２８】
また、主強度部材６１には、外側面１１ａが互いに接触又は近接した状態の一方の枠材１０における内側面板部１２の係止部１２ａに係止する第１の被係止部６２と、他方の枠材１０における内側面板部１２の係止部１２ａに係止する第２の被係止部６３とが設けられている。
【００２９】
第１の被係止部６２は、主強度部材６１の上面から垂直に突出する平板部６２ａと、この平板部６２ａの先端部に形成された鉤部６２ｂとによって形成されている。平板部６２ａは、連結具６を隣接する枠材１０に取り付ける際に、鉤部６２ａが傾斜面１２ｂに当接することによって、当該傾斜面１２ｂ及び係止部１２ａを一旦よけるように弾性的に湾曲（弾性変形）した後に、当該鉤部６２ｂが係止部１２ａを超えることによって、元の形状に復帰するようになっている。鉤部６２ｂは、平板部６２ａが元の形状に復帰することにより、係止部１２ａに係止して、連結具６を枠材１０に確実に固定するようになっている。第２の被係止部６３についても、第１の被係止部６２と同様に構成されているので、当該第１の被係止部６２と同一の符号を付して説明を省略する。なお、この例においては、第１及び第の被係止部６２、６３がそれぞれ後述する第１及び第２の補強板（第１及び第２の補強部材）６５、６６によって強化されているので、当該第１及び第の被係止部６２、６３がそれぞれ係止部１２ａに係止する際には主に内側面板部１２の方が弾性変形することになる。
【００３０】
更に、主強度部材６１には、外側面１１ａが互いに接触又は近接した状態の一方及び他方の枠材１０における外側面板部１１を内方に挟んだ状態に維持する一対の挟持部材６４が設けられている。一対の挟持部材６４は、図４に示すように、平板状に形成されたものであり、主強度部材６１の上面から垂直に突出し、かつ互いに平行となるようにして、主強度部材６１の全幅にわたって延在するように形成されている。この挟持部材６４は、第１及び第２の被係止部６２、６３の平板部６２ａとも平行に形成されている。
【００３１】
また、第１の被係止部６２とこの第１の被係止部６２に近い側の挟持部材６４と主強度部材６１とは、第１の補強板６５によって一体的に連結され、第２の被係止部６３とこの第２の斜材に近い側の挟持部材６４と主強度部材６１とは、第２の補強板６６によって一体的に連結されている。
【００３２】
外側面板部１１には、図２〜図６に示すように、その内側面１１ｂに、当該外側面板部１１を挟んだ状態となっている挟持部材６４を当該外側面板部１１の長手方向（主強度部材６１の幅方向）の両側から支持する一対の支持部材１１ｃ、１１ｃが設けられている。
【００３３】
枠材１０の中間板部１３には、図２及び図３に示すように、外側面板部１１及び内側面板部１２と並列に延在するように突出する凸条部１４が設けられている。即ち、凸条部１４は、中間板部１３の一部を下方に凸となるように湾曲形成したものであり、その左右の側面の延在する方向が外側面板部１１及び内側面板部１２の延在する方向と平行に形成されている。
【００３４】
主強度部材６１には、図３に示すように、外側面１１ａが互いに接触又は近接する状態の一方の枠材１０における凸条部１４の左右の側面を拘束するように形成された凹部６７ａを有する第１の拘束部材６７と、他方の枠材１０における凸条部１４の左右の側面を拘束するように形成された凹部６８ａを有する第２の拘束部材６８とが設けられている。そして、第１の拘束部材６７は第１の補強板６５と一体に形成され、第２の拘束部材６８は第２の補強板６６と一体に形成されている。
【００３５】
上記のように構成された収納ケースの横連結構造においては、連結具６の主強度部材６１が枠材１０、１０の下側に位置するようになっており、その主強度部材６１には一方の枠材１０における内側面板部１２の係止部１２ａに係止する第１の被係止部６２と、他方の枠材１０における内側面板部１２の係止部１２ａに係止する第２の被係止部６３とが設けられているので、主強度部材６１を一方及び他方の枠材１０の双方に確実に固定することができる。
【００３６】
しかも、主強度部材６１には、一方及び他方の枠材１０における互いに接触又は近接した状態の外側面１１ａを有する外側面板部１１を内方に挟んだ状態に維持する一対の挟持部材６４が設けられているので、一方の枠材１０における外側面板部１１と他方の枠材１０における外側面板部１１が離れる方向に移動するのを防止することができる。そして、一方及び他方の枠材１０における外側面板部１１を挟持部材６４で挟んで保持することにより、その連結部の剛性の向上を図ることができる。特に、挟持部材６４を主強度部材６１の全幅にわたる幅広の板状材によって形成しているので、連結部とのなる外側面板部１１を挟持部材６４で十分に補強することができると共に、その連結部の剛性の向上を図ることができる。
【００３７】
従って、収納ケース５を横に並べた状態で強固に連結することができる。なお、連結具６によって最下位置の棚枠１のみを連結するだけでも十分な連結強度を得ることができるが、上下の各棚枠１を連結具６で連結することにより、収納ケース５の連結強度を更に高めることができる。しかも、枠材１０の下方から連結具６を取り付けることによって、収納ケース５を連結するようになっているので、その連結具６を各収納ケース５から外した後においては、各収納ケース５を、連結のための穴などの跡が外観上ほとんど見当たらない通常の収納ケースとして、単独で使用することができるという利点もある。
【００３８】
また、外側面板部１１には当該外側面板部１１を挟んだ状態に維持する挟持部材６４を当該外側面板部１１の長手方向の両側から支持する一対の支持部材１１ｃが設けられているので、収納ケース５が枠材１０の長手方向に沿って互いにずれるように移動するのを防止することができる。従って、この点からも収納ケース５を確実に連結することができる。
【００３９】
更に、主強度部材６１が平板状に形成されているので、連結具６が棚枠１の枠材１０から下方に突出する量を極めて少量に抑えることができる。従って、例えば下から二番目の棚枠１を連結具６で連結した場合に、その連結具６が一番目と二番面の棚枠１の間の引出４の抜き差しに際して支障となるのを防止することができる。
【００４０】
そして更に、連結具６の第１及び第２の被係止部６２、６３が内側面板部１２の係止部１２ａを一旦よける方向に弾性変形した後に元の形状に復帰することにより、当該係止部１２ａに係止するように形成されており、第１の被係止部６２とこれに近い側の挟持部材６４と主強度部材６１とが第１の補強板６５によって連結され、第２の被係止部６３とこれに近い側の挟持部材６４と主強度部材６１とが第２の補強板６６によって連結されているので、第１及び第２の被係止部６２、６３が元の形状に復帰する力を増大させることができる。この場合、係止部１２ａ側の内側面板部１２も弾性変形することにより、第１及び第２の被係止部６２、６３と各内側面板部１２の係止部１２ａとの係止が可能となり、第１及び第２の被係止部６２、６３と各内側面板部１２の双方における大きな弾性復帰力により、係止状態が維持されることになる。従って、連結具６を隣接する枠材１０に強固に固定することができる。
【００４１】
また、枠材１０の中間板部１３には外側面板部１１及び内側面板部１２と並列に延在する凸条部１４が設けられており、主強度部材６１には一方の枠材１０における凸条部１４の左右の側面を拘束する凹部６７ａを有する第１の拘束部材６７が設けられていると共に、他方の枠材１０における凸条部１４の左右の側面を拘束する凹部６８ａを有する第２の拘束部材６８が設けられているので、一方の枠材１０と他方の枠材１０が離れる方向に移動するのを更に強固に防止することができる。従って、収納ケース５の連結強度を更に高めることができる。
【００４２】
かつまた、第１の拘束部材６７が第１の補強板６５と一体に形成され、第２の拘束部材６８が第２の補強板６６と一体に形成されているので、第１の拘束部材６７や第２の拘束部材６８自体の剛性を高めることができる。従って、連結具６によって一方及び他方の枠材１０をより高い剛性力をもって保持することができるので、収納ケース５の連結強度を更に高めることができる。
【００４３】
なお、上記実施例においては、第１及び第２の拘束部材６７、６８をそれぞれ第１及び第２の補強板６５、６６に一体的に形成した例を示したが、第１及び第２の補強板６５、６６を設けずに第１及び第２の拘束部材６７、６８を設けたり、第１及び第２の拘束部材６７、６８を第１及び第２の補強板６５、６６とは別体のものとして設けてもよい。
【００４４】
また、最下位置の棚枠１には、図１（ｄ）に示すように、支柱２との連結を図る継手部１０１にキャスタの保持孔が形成されていることから、連結具６によって連結した後の収納ケース５についても、その保持孔に取り付けたキャスタによって床上等を移動することが可能であるが、図７に示すように、キャスタ７を連結具６に設けるように構成してもよい。
【符号の説明】
【００４５】
１  棚枠
２  支柱
３  枠組体
４  引出
５  収納ケース
６  連結具
１０  枠材
１１  外側面板部
１１ａ  外側面
１１ｃ  支持部材
１２  内側面板部
１２ａ  係止部
１３  中間板部
１４  凸条部
６１  主強度部材
６２  第１の被係止部
６３  第２の被係止部
６４  挟持部材
６５  第１の補強板（第１の補強部材）
６６  第２の補強板（第２の補強部材）
６７  第１の拘束部材
６７ａ、６８ａ  凹部
６８  第２の拘束部材
【図１】
0003158038.tif 000003
【図２】
0003158038.tif 000004
【図３】
0003158038.tif 000005
【図４】
0003158038.tif 000006
【図５】
0003158038.tif 000007
【図６】
0003158038.tif 000008
【図７】
0003158038.tif 000009